(57)【要約】【課題】既に設置されている水道設備における蛇口、給水装置など各水栓ごとの使用水量の測定を簡単に行うことができる水使用状況監視システムを提案すること。【解決手段】水使用状況監視システム１では、振動センサ６の検出出力に基づき、水栓使用検知器４が各水栓２１の開閉を検出して開閉時間を記録し、使用水量解析器３が水道メータ２２から得られるパルス信号に基づき時間毎の使用水量を記録し、これらの記録データに基づき各水栓２１での水使用量を各時間毎に求める。水道メータ２２が機械式の場合には、そのパイロットの回転に基づきパルス信号を生成して、使用水量解析器３に供給するパルス発生器７を用いる。【選択図】　　　図１
2004028579.tif 000002
【特許請求の範囲】
【請求項１】
水道設備における蛇口、給水装置などの各水栓での水使用状況を監視する水使用状況監視システムにおいて、
主水管に取り付けた水道メータと、
この水道メータから水の流量およびその変化を示すパルス信号を受信し、受信したパルス数を単位時間毎に積算し、積算値を時間情報と共に記録する使用水量解析器と、
前記主水管から分岐している各分岐管に取り付けた各水栓の振動を検出する振動センサと、
この振動センサの検出出力に基づき、前記水栓の開閉を検出し、開閉時間を記録する水栓使用検知器と、
前記使用水量解析器および前記水栓使用検出器の記録データに基づき、各水栓での水の使用状況を解析する記録データ処理装置とを有している水使用状況監視システム。
【請求項２】
請求項１において、
機械式の前記水道メータと、
この機械式の水道メータの表示部に配置されているパイロットの回転に基づき前記パルス信号を生成して、前記使用水量解析器に供給するパルス発生器とを有しており、
このパルス発生器は、前記パイロットに光を照射し、当該パイロットで反射した反射光を検出して、前記パイロットの回転をパルス信号に変換することを特徴とする水使用状況監視システム。
【請求項３】
請求項２において、
前記パルス発生器は、パルス発生器本体と、このパルス発生器本体を前記機械式の水道メータの表示部に対して着脱可能な状態で取り付ける取り付け治具とを備えており、
前記取り付け治具は、前記機械式の水道メータの表示部ケースに対してねじ止め固定する第１固定部と、前記機械式の水道メータの表示部における前記パイロットに対峙した表示面部分に、前記パルス発生器本体を押し付けて固定する第２固定部とを備えていることを特徴とする水使用状況監視システム。
【請求項４】
請求項１ないし３のうちのいずれかの項において、
前記水栓使用検知器は、前記振動センサからの検出信号を第１のサンプリング間隔で監視し、前記水栓が開いたことを検出してから当該水栓が閉じたことが検出されるまでの間は、短い第２のサンプリング間隔で監視することを特徴とする水使用状況監視システム。
【請求項５】
請求項４において、
前記水栓使用検知器は、前記水栓が開いたことが検出されると、前記第２のサンプリング間隔で同一の検出結果が複数回連続して検出された場合にのみ、前記水栓が開いたことの検出結果を確定させ、
前記水栓が閉じたことが検出されると、前記第１のサンプリング間隔で同一の結果が複数回連続して検出された場合にのみ、前記水栓が閉じたことの検出結果を確定させることを特徴とする水使用状況監視システム。
【請求項６】
請求項１ないし５のうちのいずれかの項において、
前記水栓使用検知器および前記使用水量解析器は、防水ケースと、この防水ケースの内部に配置された磁力により開閉可能なスイッチとを備えていることを特徴とする水使用状況監視システム。
【請求項７】
水道メータから水の流量およびその変化を示すパルス信号を受信し、受信したパルス数を単位時間毎に積算し、積算値を時間情報と共に記録する使用水量解析器であって、
防水ケースと、この防水ケースの内部に配置された磁力により開閉可能なスイッチとを備えていることを特徴とする使用水量解析器。
【請求項８】
水栓の開閉に伴う振動を検出する振動センサの検出出力に基づき、前記水栓の開閉を検出し、その開閉時間を記録する水栓使用検知器であって、
防水ケースと、この防水ケースの内部に配置された磁力により開閉可能なスイッチとを備えていることを特徴とする水栓使用検知器。
【発明の詳細な説明】
【０００１】
【発明の属する技術分野】
本発明は、水道設備における蛇口、給水装置などの各水栓の水使用量を監視するための水使用状況監視システムに関するものである。
【０００２】
【従来の技術】
一般家庭などの水使用者からの水使用量に関する相談、疑問に対応するために、水道設備における蛇口、給水装置などに取り付けられている各水栓毎の使用水量を測定して、水使用の実態を調査する場合がある。
【０００３】
各水栓毎に水使用状況を調べるためには、水道設備の元水栓などに取り付けてある水道メータにより総使用水量を測定すると共に、各水栓に繋がる配管の途中に取付けた個別の流量メータにより、各水栓での個別の水使用量を測定すればよい。
【０００４】
【発明が解決しようとする課題】
ここで、一般家庭では、蛇口、給水装置などの各水栓に繋がる配管が既に建物の中に設置されている。このため、水使用の実態調査を行う場合、配管に流量メータを取付けるために建物を部分的に壊したりする必要があり、作業性も悪く、簡単に行うことができない。
【０００５】
また、既に設定してある水道メータが機械式の場合には、電子式水道メータのように、流量変化をパルス信号として取り出すことができないので、電子式水道メータに交換する必要があり、そのまま、機械式水道メータを用いる場合は、目視で測定する必要があるので、データ測定に手間がかかる。
【０００６】
さらには、各水栓での使用水量の積算値を計測できるが、各水栓の使用時間帯などについては検出できないので、各時間帯毎の各水栓での水使用状況を知ることができないという問題もある。
【０００７】
本発明の課題は、既に設置されている水道設備における蛇口、給水装置などの各水栓毎の使用水量の測定を簡単に行うことができる水使用状況監視システムを提案することにある。
【０００８】
【課題を解決するための手段】
上記の課題を解決するために、本発明は、水道設備における蛇口、給水装置などの各水栓での水使用状況を監視する水使用状況監視システムにおいて、
主水管に取り付けた水道メータと、
この水道メータから水の流量およびその変化を示すパルス信号を受信し、受信したパルス数を単位時間毎に積算し、積算値を時間情報と共に記録する使用水量解析器と、
前記主水管から分岐している各分岐管に取り付けた各水栓の振動を検出する振動センサと、
この振動センサの検出出力に基づき、前記水栓の開閉を検出し、開閉時間を記録する水栓使用検知器と、
前記使用水量解析器および前記水栓使用検出器の記録データに基づき、各水栓での水の使用状況を解析する記録データ処理装置とを有していることを特徴としている。
【０００９】
本発明では、振動センサの検出出力に基づき、各水栓の開閉を検出して開閉時間を記録するようにしている。従って、水栓使用検知器により記録されている開閉時間と、使用水量解析器により記録されている時間毎の使用水量とに基づき、各水栓での水使用量を各時間毎に求めることができる。
【００１０】
ここで、水道メータが機械式の水道メータの場合には、電子式水道メータとは異なり前記パルス信号が発生しない。この場合には、前記機械式の水道メータの表示部に配置されているパイロットの回転に基づき前記パルス信号を生成して、前記使用水量解析器に供給するパルス発生器を用いればよい。このパルス発生器は、前記パイロットに光を照射し、当該パイロットで反射した反射光を検出して、前記パイロットの回転をパルス信号に変換する構成とすればよい。
【００１１】
また、この場合、前記パルス発生器を水道メータの表示部に簡単に着脱できるようにするためには、当該パルス発生器を、パルス発生器本体と、このパルス発生器本体を前記機械式の水道メータの表示部に対して着脱可能な状態で取り付ける取り付け治具とを備えた構成とし、前記取り付け治具を、前記機械式の水道メータの表示部ケースに対してねじ止め固定する第１固定部と、前記機械式の水道メータの表示部における前記パイロットに対峙した表示面部分に、前記パルス発生器本体を押し付けて固定する第２固定部とを備えた構成とすればよい。
【００１２】
次に、前記水栓使用検知器による消費電力を抑制するためには、前記振動センサからの検出信号を第１のサンプリング間隔で監視し、前記水栓が開いたことを検出してから当該水栓が閉じたことが検出されるまでの間は、短い第２のサンプリング間隔で監視するように構成すればよい。
【００１３】
また、この水栓使用検知器による水栓開閉の検知がノイズによって影響されることなく精度良く行わせるためには、前記水栓が開いたことが検出された場合には、前記第２のサンプリング間隔で同一の検出結果が複数回連続して検出された場合にのみ、前記水栓が開いたことの検出結果を確定させるようにすればよい。同様に、前記水栓が閉じたことが検出された場合には、前記第１のサンプリング間隔で同一の結果が複数回連続して検出された場合にのみ、前記水栓が閉じたことの検出結果を確定させるようにすればよい。
【００１４】
一方、前記水栓使用検知器および前記使用水量解析器の防水性を高めるためには、防水ケースと、この防水ケースの内部に配置された磁力により開閉可能なスイッチとを備えた構成とすることが望ましい。
【００１５】
次に本発明は上記の水使用状況監視システムに用いるのに適した使用水量解析器に関するものであり、防水ケースと、この防水ケースの内部に配置された磁力により開閉可能なスイッチとを備えていることを特徴としている。
【００１６】
また、本発明は上記の水使用状況監視システムに用いるのに適した水栓使用検知器に関するものであり、防水ケースと、この防水ケースの内部に配置された磁力により開閉可能なスイッチとを備えていることを特徴としている。
【００１７】
【発明の実施の形態】
以下に図面を参照して、本発明を適用した水使用状況監視システムの実施の形態を説明する。
【００１８】
（全体構成）
図１は本発明を適用した水使用状況監視システムの一例を示す概略ブロック図である。本例の水使用状況監視システム１は、一般家庭などの水道設備２における各蛇口などの水栓２１の水使用量を監視するものであり、主水管２０に取り付けた水道メータ２２と、この水道メータ２２から水の流量およびその変化を示すパルス信号を受信し、受信したパルス数を単位時間毎に積算し、積算値を時間情報と共に記録する使用水量解析器３と、主水管２０から分岐している各分岐管２３に取り付けた各水栓２１の振動を検出する振動センサ６と、この振動センサ６の検出出力に基づき、各水栓２１の開閉を検出し、開閉時間を記録する水栓使用検知器４と、使用水量解析器３および水栓使用検出器４の記録データに基づき、各水栓での水の使用状況を解析する記録データ処理装置５とを有している。
【００１９】
使用水量解析器３は、全体として扁平な箱型の防水ケース３１と、この防水ケース３１の表面に形成された液晶表示面３２およびスイッチ操作面３３を備えている。防水ケース３１は、水道メータ２２との間がケーブル３ａで接続され、記録データ処理装置５との間もケーブル３ｂで接続されている。水栓使用検知器４も、全体として扁平な箱型の防水ケース４１と、この防水ケース４１の表面に形成された液晶表示面４２およびボタン操作面４３を備えている。この防水ケース４１は、各水栓２１に取付けられた振動センサ６にケーブル４ａで接続され、記録データ処理装置５との間もケーブル４ｂで接続されている。
【００２０】
ここで、水道メータ２２が電子式の場合には、流量およびその変化がパルス信号として出力されるので、その信号を使用水量解析器３にそのまま取り込み記録することができる。しかし、水道メータ２２が機械式の場合は、流量変化がパルス信号として出力されないので、このままでは水道メータの測定結果を使用水量解析器３に取り込むことができない。この場合には、図１において想像線で示すように、水道メータ２２に対して、着脱可能な状態で、パルス発生器であるパイロット検出用アタッチメント７を取付けてパルス信号を取り出し、使用水量解析器３に取り込むようにしている。
【００２１】
（振動センサ）
図２は水栓２１に取り付けた振動センサ６を示す側面図および正面図である。振動センサ６は、固定具６０によって、水栓２１が取り付けられている蛇口管２１ａに対して着脱可能な状態で取り付けられている。固定具６０は、可撓性の金属バンド６１と、この金属バンド６１を環状に連結しているバックル６２と、金属バンド６１の環を伸縮させるための調整ねじ６３とから構成され、バックル６２の表面に振動センサ６が固定されている。金属バンド６１を蛇口管２１ａに緊結すると、蛇口管２１ａの振動がバックル６２を介して振動センサ６に確実に伝達する。従って、水栓２１を開閉する際の振動を、蛇口管２１ａを介して振動センサ６で検出可能である。
【００２２】
（パイロット検出用アタッチメント）
図３（ａ）および（ｂ）は、パイロット検出用アタッチメント７を示す正面図および断面図である。パイロット検出用アタッチメント７は、機械式の水道メータ２２の表示部２２ａに配置されているパイロット２２ｂの回転に基づきパルス信号を生成して、使用水量解析器３に供給するパルス発生器であり、パルス発生器本体７１と、このパルス発生器本体７１を機械式水道メータ２２の表示部２２ａに対して着脱可能で取付ける取り付け治具７２とを備えている。
【００２３】
パルス発生器本体７１は、筒状の本体ケース７３と、この本体ケース７３に内蔵された受発光素子７４とを備えている。本体ケース７３は、下端部分に大径のフランジ部７５が形成されている。フランジ部７５は、水道メータの表示部２２ａの表示部ケース２２ｃの内側に嵌まり、底面が表示部２２ａの表示面部分２２ｄに載るようになっている。このフランジ部７５の底面開口を通して、受発光素子７４からパイロット２２ｂに光が照射される。
【００２４】
受発光素子７４は、発光ダイオードを光源として、その光をパイロット２２ｂに照射し、反射された光を検知してパイロット２２ｂの回転をパルス出力に変換するものである。例えば、パイロットの１回転あたり、８パルス出力される。また、受発光素子７４は、使用水量解析器３にケーブル７ａを介して接続され、使用水量解析器３へパルス信号を送るとともに、使用水量解析器３に内蔵された電池から電源供給される。
【００２５】
取り付け治具７２は、機械式水道メータ２２の表示部ケース２２ｃに対して第１のねじ７６でねじ止め固定する第１固定部７７と、表示部ケース２２ｃに配置された本体ケース７３の上面を第２のねじ７８によって押さえて、パイロット２２ｂに対峙した表示面部分２２ｄにパルス発生器７１を押付けて固定する第２固定部７９とを備えている。
【００２６】
このパイロット検出用アタッチメント７を機械式の水道メータ２２に取付けると、パルス発生器本体７１によってパイロットの回転をパルス信号として取り出すことができる。また、パルス発生器本体７１は、取り付け治具７２を用いることにより、水道メータ２２に対する着脱も簡単である。
【００２７】
（使用水量解析器）
図４は、使用水量解析器３の回路構成を示す概略ブロック図である。この図に示すように、使用水量解析器３は、マイクロコンピュータ（ＭＰＵ）３００を中心として回路構成されている。マイクロコンピュータ３００には、水道メータ２２またはパイロット検出用アタッチメント７からのパルス信号を取込むためのパルス入力用インタフェース３０１、記録データ処理装置５にデータを送るためのＲＳ２３２Ｃインタフェース３０２、液晶３０３、電源スイッチ３０４、設定確認スイッチ３０５、設定変更スイッチ３０６、開始スイッチ３０７、外部タイマ素子３０８、メモリ（ＳＲＡＭ）３０９、メイン電池３１０が接続されている。また、メイン電源３１０の予備電源としてのバックアップ用電池３１１と、水道メータ２２が機械式の場合に取付けるパイロット検出用アタッチメント７に電源供給するためのアタッチメント用電池３１２も備えている。メイン電池３１０、バックアップ用電池３１１、およびアタッチメント用電池３１２は、それぞれ専用の電源スイッチ３１３、３１４、３１５を介して接続されている。また、メイン電池３１０は、ある電圧まで低下すると、切換えスイッチ３１６によってバックアップ電池３１１に切換えられるようになっている。
【００２８】
これらの回路部品は、図１に示した防水ケース３１に内蔵されており、防水ケース３１の液晶表示面３２には、液晶３０３が配置されている。図５は、液晶３０３を全点灯表示した様子を示す説明図である。
【００２９】
この図を参照すると、液晶３０３は、使用水量解析器３における動作状態および設定値を表示するものであり、６桁の数字で表される設定値／現在時刻／エラー表示用表示部３０３ａを中心にして、その回りに、電池電圧警告表示部３０３ｂ、記録中／記録完了マーク表示部３０３ｃ、パルス検出表示部３０３ｄ、通信マーク表示部３０３ｅ、設定マーク３０３ｆ、データ記録経過日数表示部３０３ｇを表示するようになっている。
【００３０】
また、図４に示した複数のスイッチのうち、電源スイッチ３０４、設定確認スイッチ３０５、設定変更スイッチ３０６、開始スイッチ３０７の４つのスイッチは、磁力により開閉可能なリードスイッチとなっている。これらのスイッチは、図１に示した防水ケース３１のスイッチ操作面３３にマグネットを近づけることにより操作を行うことができる。よって、防水ケース３１のスイッチ操作面３３には、スイッチ操作用の穴等を形成しなくてもよいので、使用水量解析器３の防水性を高めることができる。
【００３１】
このように構成された使用水量解析器３では、開始スイッチ３０７を操作することにより、記録を開始することができる。また、設定変更スイッチ３０６で記録開始日時を設定することにより、設定した日時に自動的に記録を開始することができる。この設定変更スイッチ３０６では、データを区別化するための調査コード、現在日時等を設定することができる。
【００３２】
記録が開始されると、電子式水道メータ２２またはパイロット検出用アタッチメント７から出力されるパルス数をマイクロコンピュータ３００において１秒間隔で積算する。１秒間隔で積算したパルス積算数をメモリ３０９において１ヶ月以上記録する。
【００３３】
記録したパルス積算数は、ＲＳ２３２Ｃインタフェース３０２を介して記録データ処理装置５に転送される。また、ＲＳ２３２Ｃインタフェース３０２を介して記録データ処理装置５の側から使用水量解析器３の設定を行うこともできる。
【００３４】
（水栓使用検知器４）
次に、水栓使用検知器４について説明する。図６は、水栓使用検知器４の回路構成を示す概略ブロック図である。水栓使用検知器４は、マイクロコンピュータ（ＭＰＵ）４００を中心として構成されている。マイクロコンピュータ４００には、水栓２１に取付けた振動センサ６からの出力信号を取込むためのセンサ信号入力インタフェース４０１、記録データ処理装置５にデータを送るＲＳ２３２Ｃインタフェース４０２、液晶（ＬＣＤ）４０３、電源スイッチ４０４、記録開始スイッチ４０５、設定確認スイッチ４０６、設定変更スイッチ４０７、外部タイマ素子４０８、メモリ（ＳＲＡＭ）４０９、メイン電池４１０が接続されている。さらに、メイン電池４１０の予備電源としてのバックアップ用電池４１１も備えている。メイン電池４１０、バックアップ用電池４１１は、それぞれ専用の電源スイッチ４１２、４１３を介して接続されている。メイン電池４１０は、ある電圧まで低下すると、切換えスイッチ４１４によって自動的にバックアップ電池４１１に切換えられるようになっている。
【００３５】
また、センサ信号入力インタフェース４０１は、感度調節回路４１５を備えており、この感度調節回路４１５により調整されてマイクロコンピュータ４００に入力される信号は、基準電圧生成回路４１６に接続されたコンパレータ４１７を介するものと、コンパレータ４１７を通らずにマイクロコンピュータ４００でＡ／Ｄ変換されるものの２通りになっている。
【００３６】
これらの回路部品は、図１に示した防水ケース４１に内蔵されており、防水ケース４１の液晶表示部４２には、液晶４０３が配置されている。図７は、液晶４０３を全点灯表示した様子を示す説明図である。
【００３７】
この図に示すように、液晶４０３は、水栓使用検知器４における動作状態および設定値を表示するものであり、６桁の数字で表される設定値／現在時刻／エラー表示用表示部４０３ａを中心にして、その回りに、メイン電池電圧低下警告表示部４０３ｂ、記録中／記録完了マーク表示部４０３ｃ、センサ信号検出表示部４０３ｄ、通信マーク表示部４０３ｅ、設定マーク表示部４０３ｆ、データ記録経過日数表示部４０３ｇを表示するようになっている。
【００３８】
また、図６に示した複数のスイッチうち、電源スイッチ４０４、記録開始スイッチ４０５、設定確認スイッチ４０６、および、設定変更スイッチ４０７は、押しボタンスイッチとなっている。これらのスイッチについても、上記の使用水量解析器３において使用している磁力により開閉可能なリードスイッチを用いれば、防水ケース４１のボタン操作面４３にスイッチ操作用の穴等を形成しなくてもよいので、水栓使用検知器４の防水性を高めることができる。
【００３９】
このように構成された水栓使用検知器４は、記録開始スイッチ４０５を操作することにより、記録を開始することができる。また、設定変更スイッチ４０７で記録開始日時を設定することにより、設定した日時に自動的に記録を開始することができる。この設定変更スイッチ４０７では、感度調節回路４１５に入力するセンサ信号の増幅率の設定値、データを区別化するための識別番号、現在日時等を設定することができる。
【００４０】
記録が開始されると、水栓２１に取付けられた振動センサ６からの出力信号により、水栓２１の開いた時刻および水栓の閉じた時刻をメモリ４０９において１ヶ月以上記録する。
【００４１】
この水栓使用検知器４では、通常、振動センサ６からの検出信号を第１のサンプリング間隔、例えば、５００ｍｓ間隔で監視している。一方、振動センサ６からの検出信号によって、水栓２１が開いたことを検出してから水栓２１が閉じたことが検出されるまでの間は、第１のサンプリング間隔よりも短い第２のサンプリング間隔、例えば、１００ｍｓ間隔で監視する。このように、第１および第２のサンプリング間隔を切換えて水栓２１を監視することにより、消費電力を抑制している。
【００４２】
また、水栓使用検知器４による水栓２１の開閉検知が、水栓の開閉とは別の振動ノイズによって影響されることがないように、水栓２１が開いたことが検出された場合には、第１のサンプリング間隔から切換えられた短い間隔の第２のサンプリング間隔で連続して１０回振動を検出した場合にのみ、水栓２１が開いたとして検出結果を確定する。
【００４３】
同様に、水栓２１が閉じたことを検出した際は、第２のサンプリング間隔から切換えられ、第２のサンプリング間隔より長い間隔の第１のサンプリング間隔で連続して３回停止を検出した場合のみ、水栓２１が閉じたことの検出結果を確定する。
【００４４】
記録された水栓の開閉時刻は、ＲＳ２３２Ｃインタフェース４０２を介して記録データ処理装置５に転送される。また、ＲＳ２３２Ｃインタフェース４０２によって、記録データ処理装置５の側から水栓使用検知器４の設定を行うこともできる。
【００４５】
（記録データ処理装置）
使用水量解析器３および水栓使用検出器４の記録データは、記録データ処理装置５によって解析され、各水栓２１での水の使用状態が明らかになる。
【００４６】
記録データ処理装置５は、解析ソフトを用いて、使用水量解析器３および水栓使用検出器４の記録データをそれぞれ解析し、時間的な水使用状況をグラフ、数値によって表すことができる。また、解析ソフトにより、使用水量解析器３および水栓使用検出器４の記録データを融合処理して、各水栓２１の使用時刻および使用水量を求めて、いつ、どの水栓が使用されたのかをグラフ、数値等により時系列的に表すこともできる。さらに、使用水量解析器３および水栓使用検出器４の設定時刻がずれているときは、データ取り込み時に補正する。
【００４７】
このように構成された水使用状況監視システム１は、使用水量解析器３が記録する流量データと、水栓使用検知器４が記録する各水栓２１の振動データとを記録データ処理装置５で処理する。水栓使用検知器４が各水栓２１の振動を記録することによって、各水栓２１の使用時間が求められる。この各水栓２１の使用時間における水栓２１の使用水量は、使用水量解析器３の流量データから求める。また、同じ時間帯に複数の水栓２１が使用されていた場合は、振動レベルによって、各水栓２１の使用水量を求めることができる。
【００４８】
【発明の効果】
以上説明したように、本発明の水使用状況監視システムは、水道設備における蛇口、給水装置などの各水栓での水使用状況を監視するために、使用水量解析器が記録する水道メータの流量データと、水栓使用検知器が記録する各水栓の振動データとを記録データ処理装置で処理する。水栓使用検知器が各水栓の振動を記録することによって、各水栓の使用時間が求められる。この各水栓の使用時間と、使用水量解析器により記録されている時間毎の使用水量とに基づき、各水栓での水使用量を各時間毎に求めることができる。
【００４９】
水栓使用検知器に用いる各水栓の振動を記録するための振動センサは、水栓の外側に取付けているだけなので、建物を壊したりすることなく簡単に取り付けることができる。また、使用水量解析器は、水道メータが機械式の場合にもパルス発生器を取付けることにより、電子式水道メータと同様に、流量変化をパルス信号として取込むことができる。従って、既に設置されている水道設備においても、使用水量の測定を簡単にできる。
【００５０】
次に、本発明の使用水量解析器および水栓使用検知器では、防水ケースの外側からその操作面にマグネットを近づけることにより内部の磁気駆動式のスイッチを切り換えることができるので、従来の押しボタンスイッチなどに比べて防水性を高めることができる。
【図面の簡単な説明】
【図１】本発明を適用した水使用状況監視システムの一例を示す概略ブロック図である。
【図２】（ａ）および（ｂ）は、図１における水栓に取付けられた振動センサを示す側面図および正面図である。
【図３】（ａ）および（ｂ）は、図１における水道設備の水道メータが機械式の場合に用いるパイロット検出用アタッチメントを示す正面図および断面図である。
【図４】図１の水使用状況監視システムにおける使用水量解析器の回路構成を示す概略ブロック図である。
【図５】図４の使用水量解析器の液晶表示を示す説明図である。
【図６】図１の水使用状況監視システムにおける水栓使用検知器の回路構成を示す概略ブロック図である。
【図７】図６の水栓使用検知器の液晶表示を示す説明図である。
【符号の説明】
１　水使用状況監視システム
２　水道設備
３　使用水量解析器
４　水栓使用検知器
５　記録データ処理装置
６　振動センサ
７　パイロット検出用アタッチメント
２１　水栓
２２　水道メータ
２２ａ　表示部
２２ｂ　パイロット
２２ｃ　表示部ケース
２２ｄ　表示面部分
６０　固定具
６１　金属バンド
６２　バックル
６３　調整ねじ
７１　パルス発生器本体
７２　取り付け治具
７３　本体ケース
７４　受発光素子
７５　フランジ部
７６　第１のねじ
７７　第１固定部
７８　第２のねじ
７９　第２固定部
【図１】
2004028579.tif 000003
【図２】
2004028579.tif 000004
【図３】
2004028579.tif 000005
【図４】
2004028579.tif 000006
【図５】
2004028579.tif 000007
【図６】
2004028579.tif 000008
【図７】
2004028579.tif 000009